(57)【要約】      （修正有）【課題】炎天下における直射日光による頭部周辺の体温上昇や発汗を抑制し、各種作業やスポーツ等における熱中症の発症を防止する、制作が容易で、利便性とファッション性あるずきん型熱中症予防具を提供する。【解決手段】１枚の矩形状布体１０を用いて、簡単な縫製作業で制作が可能な頭部に着装するずきん型熱中症予防具を構成する。又、前記布体は通気性、吸水性及び速乾性を有し、前記布体における長手方向の両端部１，２は、縦中心線上で折り畳まれて接合され、接合された前記布体の上辺端縁部３の一部を縫着し、当該縫着部分から左右に拡開して平面視三角状布体に形成する。さらに、前記三角状布体の頂部４を下方に折り返し、当該折り返し部６を横方向に縫着すると共に、前記頂部の下端部を前記縫着部分に縫着する。【選択図】図１
0003164607.tif 000002
【実用新案登録請求の範囲】
【請求項１】
１枚の矩形状布体を用いて、簡単な縫製作業で制作が可能な頭部に着装するずきん型熱中症予防具であって、
前記布体は通気性、吸水性及び速乾性を有し、
前記布体における長手方向の両端部は、縦中心線上で折り畳まれて接合され、
接合された前記布体の上辺端縁部の一部を縫着し、
当該縫着部分から左右に拡開して平面視三角状布体に形成し、
前記三角状布体の頂部を下方に折り返し、当該折り返し部を横方向に縫着すると共に、
前記頂部の下端部を前記縫着部分に縫着してなる、
ことを特徴とするずきん型熱中症予防具。
【請求項２】
前記布体の素材が綿繊維、ポリエステル繊維又は綿繊維とポリエステル繊維の混紡繊維である、
ことを特徴とする請求項１に記載のずきん型熱中症予防具。
【請求項３】
前記矩形状布体における短手寸法と長手寸法の比率を約１：２〜３としている、
ことを特徴とする請求項１〜請求項３に記載のずきん型熱中症予防具。
【請求項４】
前記布体は抗菌・防臭及び紫外線遮断加工されている、
ことを特徴とする請求項１及び請求項２に記載のずきん型熱中症予防具。
【考案の詳細な説明】
【技術分野】
【０００１】
本考案は、ずきん型熱中症予防具に係り、より詳しくは、炎天下における直射日光による頭部周辺の体温上昇や発汗を抑制し、各種作業やスポーツ等における熱中症の発症を防止する、制作が容易で、利便性とファッション性あるずきん型熱中症予防具に関する。      
【背景技術】
【０００２】
近年、温室効果ガスの排出等が要因となり、地球温暖化が急速に進み世界的な平均気温が、ここ１００年前に比して、約３℃上昇していることが報告されている。特に夏季における世界各地における異常高温がニュースとなっている。炎天下での長時間わたる農作業、屋外の建築作業、また各種スポーツ等は、体温の急速な上昇、多量の発汗を招き、熱中症の原因となっている。我国においては夏季になると熱中症を発症する人が多数出ており、かつ死者も急増している。またオゾン層の破壊による有害紫外線が急増傾向にあることが学会から指摘され、素肌部分が直射日光を長時間浴びれば、皮膚障害、例えば皮膚がん等を発症することが報告されている。安価で利便性のあるずきん型熱中症予防具及び直射日光をさける簡便な防止策が切望されている。
【０００３】
頭部周辺への直射日光を避ける、従来からの簡便な方策としては、（１）帽子の着用、（２）ハンカチの使用、（３）タオルの使用等である。しかし、（１）帽子（野球帽タイプ）は、後頭部や頸部等を直射日光から防ぐことは困難である。また（２）、（３）のハンカチやタオルは見栄えを損なう上に、タオルは汗を吸収して重くなり、何度も汗を絞り取らなければならないという不具合があり、さらに（１）、（２）、（３）に共通するのは、いずれも強風時には使用困難という欠点がある。
【０００４】
熱中症防止を直接に目的とはしていないが、日焼け防止、吸汗等を目的とした、「多目的垂れ布付頭巾」（特許文献１、図１参照）が提案されている。特許文献１は、タオル地や綿布等の織布により形成され、頭部へ被せる略椀状の被冠部と、該被冠部を頭部へ被せた場合に少なくとも後頭部から襟首に至る切り込み部を有する後垂れ布部及び肩口に至る側面垂れ布部が一体形成されて成る、構成としている。また、特許文献１と同様の目的で、「垂れ付頭巾」（特許文献２、図１参照）が提案されている。特許文献２は、野外活動及び各種ヘルメットの着帽時の中頭巾であって、頭部形状保持用の内折り込み縫合部と、下部開き部を有する後垂れ部、両側襟首用の側面垂れ部を一体に縫製形成される、構成となっている。
【先行技術文献】
【特許文献】
【０００５】
【特許文献１】登録実用新案第３１４５２９１号公報
【特許文献２】登録実用新案第３０７６１２０号公報
【考案の概要】
【考案が解決しようとする課題】
【０００６】
しかしながら、特許文献１及び特許文献２は、いずれも多目的の頭巾であるが、その製造工程において、帯状織布は、複雑な形状に裁断加工しなければならない。また当て布等の縫製作業、折り畳み作業等の製作工程が多く量産が困難という不具合がある。
【０００７】
本考案者は、上記従来技術に鑑み、通気性、吸水性及び速乾性を併せて有する綿布とポリエステルに着目し、鋭意検討を重ねて本考案を完成することができた。
そこで本考案の課題は、以下の通りである。すなわち、
（１）第１の課題は、制作が容易で利便性とファッション性があり、頭部周辺の急速な体温上昇や発汗作用を抑制して熱中症を防止する、ずきん型熱中症防止具の提供である。
（２）第２の課題は、顔面頬部、襟首等の素肌露出部分を直射日光からカバーして、日焼け、皮膚がん等の発症を防止し、かつ常に衛生的なずきん型熱中症予防具の提供である。
【課題を解決するための手段】
【０００８】
課題を解決するための手段は、本願、実用新案登録請求の範囲の各請求項に記載の考案であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願考案における実用新案登録請求の範囲、明細書及び要約書等に記載する用語についての解釈上の疑義を解消すべく、以下に本考案の実用新案登録請求の範囲、明細書等に記載する用語の説明を行うこととする。
「熱中症」とは、高温や高湿の環境下で起こる全身の熱障害をいい、症状により熱痙攣、熱疲労、体温調節機能障害を伴う熱射病に分けられ、重症の場合、死亡することもある。熱中症は、熱波により主に高齢者に起こるもの、幼児が高温環境で起こるもの、暑熱環境での労働で起こるもの、運動中に起こるものなどがある。しかし、運動中においては、体内の筋肉から大量の熱を発生することや発汗による脱水等の影響により、寒い環境下でも起こりうることが知られている。
「各種作業」とは、農作業、園芸、植木剪定、建築工事、保安・警備、交通調査、漁業、林業等の屋外労働をいう。
「スポーツ等」とは、ゴルフ、野球、サッカー、ゲートボール、登山、トレッキング、ハイキング、キャンプ、ヨットレース、カヌー等の屋外スポーツ全般をいう。
「頭部周辺」とは、頭頂部、側頭部、後頭部、顔面の両頬部、頸部をいう。
「速乾性」とは、水分、汗等を含んだ布体（生地）が速く乾く性質をいう。例えば、天然繊維では綿繊維、合成繊維としては、ポリエステル繊維等がある。
＊＊＊＊＊＊＊＊＊＊＊＊＊＊＊＊＊＊＊＊＊＊＊＊＊＊＊＊＊＊＊＊＊＊＊＊＊＊
【０００９】
上記の課題を解決する第１の考案は、請求項１に記載の考案であり、
１枚の矩形状布体を用いて、簡単な縫製作業で制作が可能な頭部に着装するずきん型熱中症予防具であって、前記布体は通気性、吸水性及び速乾性を有し、前記布体における長手方向の両端部は、縦中心線上で折り畳まれて接合され、接合された前記布体の上辺端縁部の一部を縫着し、当該縫着部分から左右に拡開して平面視三角状布体に形成し、前記三角状布体の頂部を下方に折り返し、当該折り返し部を横方向に縫着すると共に、前記頂部の下端部を前記縫着部分に縫着してなる、ことを特徴としている。
【００１０】
上記の課題を解決する第２の考案は、請求項２に記載の考案であり、
前記布体の素材が綿繊維、ポリエステル繊維又は綿繊維とポリエステル繊維の混紡繊維である、ことを特徴としている。
【００１１】
上記の課題を解決する第３の考案は、請求項３に記載の考案であり、
前記矩形状布体における短手寸法と長手寸法の比率を約１：２〜３としている、ことを特徴としている。
【００１２】
上記の課題を解決する第４の考案は、請求項４に記載の考案であり、
前記布体は抗菌・防臭及び紫外線遮断加工されている、ことを特徴としている。
【考案の効果】
【００１３】
本考案に係る、ずきん型熱中症予防具は、上記のような特徴的構成要件から構成され、特徴的構成要件に応じた、以下のような本考案特有の効果を奏する。また、上記のような特徴的構成要件から構成されたずきん型熱中症予防具によれば、本願考案の課題を十分解消することができた。すなわち、第１の考案によれば、「１枚の矩形状布体を用いて、簡単な縫製作業で制作が可能な頭部に着装するずきん型熱中症予防具であって、前記布体は通気性、吸水性及び速乾性を有し、前記布体における長手方向の両端部は、縦中心線上で折り畳まれて接合され、接合された前記布体の上辺端縁部の一部を縫着し、当該縫着部分から左右に拡開して平面視三角状布体に形成し、前記三角状布体の頂部を下方に折り返し、当該折り返し部を横方向に縫着すると共に、前記頂部の下端部を前記縫着部分に縫着してなる」という特徴的構成要件により、
また、第２の考案によれば、「前記布体の素材が綿繊維、ポリエステル繊維又は綿繊維とポリエステル繊維の混紡繊維である」という特徴的構成要件により、
また、第３の考案によれば、「前記矩形状布体における短手寸法と長手寸法の比率を約１：２〜３としている」という特徴的構成要件により、
制作が容易で利便性とファッション性があり、頭部周辺の急速な体温上昇や発汗作用を抑制して熱中症を防止する、ずきん型熱中症防止具の提供という、第１の課題を解決することができた。
【００１４】
第４の考案によれば、「前記布体は抗菌・防臭及び紫外線遮断加工されている」という特徴的構成要件により、
顔面頬部、襟首等の素肌露出部分を直射日光からカバーして、日焼け、皮膚がん等の発症を防止し、かつ常に衛生的なずきん型熱中症予防具の提供という、第２の課題を解決することができた。
【図面の簡単な説明】
【００１５】
【図１】（イ）〜（チ）は、本考案に係るずきん型熱中症防止具の制作工程を説明する工程説明図である。
【図２】は、同ずきん型熱中症防止具の完成状態を示し、（イ）は前方斜視図、（ロ）は後方斜視図である。
【図３】（イ）〜（ハ）は、同ずきん型熱中症防止具の使用状態図である。
【図４】（イ）〜（ロ）は、同ずきん型熱中症防止具の使用状態図である。
【考案を実施するための形態】
【００１６】
図１（イ）は、本考案に係るずきん型熱中症防止具（以下、防止具１００という）の基材となる１枚の矩形状布体１０を示している。布体１０の素材は、通気性、吸水性及び速乾性を有する綿繊維１００％又はポリエステル繊維１００％が好ましい。あるいは綿繊維とポリエステル繊維の混紡繊維、例えば、綿繊維５０％、ポリエステル繊維５０％とすることができる。Ｌ１は、布体１０の長手寸法で、例えば８５ｃｍ、Ｗ１は短手寸法で、例えば３５ｃｍとすることができ、短手寸法と長手寸法の比率が約１：２.４である。１は、左側端部で三つ折りして縫着ａされている。２は、右側端部で三つ折りして縫着ｂされている。Ｃ−Ｃは、布体１０の長手方向における縦中心線である。
【００１７】
図１（ロ）〜（チ）を参照して、防止具１００の制作工程を説明する。図１（ロ）に示すように、まず布体１０の左右両端部１、２は、縦中心線Ｃ−Ｃ上で折り畳まれて接合される。次に図１（ハ）に示すように、接合された布体１０の上辺端縁部（ミミ部分）３の一部（Ｌ２＝約２０ｃｍ）を縫着ｃする。次に、図１（ニ）のように、布体１０を９０°回転させ、縫着部分ｃを中心に左右両端部１、２を左右に拡開すれば、図１（ホ）及び（ヘ）（（ホ）の裏面図）に示すように、頂部４を頂点とする平面視ほぼ三角状布体１０が形成される。上辺端縁部（ミミ部分）３の無縫着部分５は分離されている。
【００１８】
続いて、図１（ト）に示すように、三角状布体１０の頂部４を下方に折り返し手形成された小三角形折り返し部６の上辺を横方向に縫着ｄする。Ｌ３は折り返し部６の長さで約１２ｃｍで、ｈは折り返し部６の深さで約６ｃｍとしている。図１（チ）は、図１（ト）のＡ部拡大図で、図示するように、折り返し部６の下端部７を縫着ｆして防止具１００の制作作業は終了する。最後に小三角形折り返し部６を片手の指先で摘み、他方の手を分離されている無縫着部５から上方に挿入し、三角状布体１０全体を反転すれば、図２に示す防止具１００が完成する。
【００１９】
図２は、防止具１００の完成状態を示し、（イ）は前方斜視図、（ロ）は後方斜視図である。防止具１００は、被冠部２０、左側片部３０、右側片部４０、左垂れ片３１及び右垂れ片４１から構成され、前方と後方は開口されている。図２（イ）及び（ロ）に示す小三角形折り返し部６は、防止具１００の着脱の利便性及び防止具１００全体の保型を主目的に形成されている。左垂れ片３１及び右垂れ片４１は、図示するように、縫着ｃより下方で分離されている。
【００２０】
図３は、防止具１００の使用状態を示し、（イ）は、頭部に被冠部２０を着装した状態の正面図で、例えば、無風又は弱風時、左側片部３０を人の左外耳裏部に掛止し、右側片部４０を人の右外耳裏部に掛止して使用することができる。（ロ）はその背面図で、図示するように、左垂れ片３１と右垂れ片４１は分離している。後頭部や襟首等で発汗した水分は、左垂れ片３１と右垂れ片４１で吸収され、布体１０の通気性と速乾性により、左垂れ片３１と右垂れ片４１を急速に乾燥させると同時に布体１０の毛管現象により気化熱を発生させるので、体温の上昇及び顔面両頬、襟首の日焼けを防止できる。また外見上においては、あたかもスカーフを着装した風情があり、ファッション性を発揮することができる。
また図３（ハ）に示すように、防止具１００の左垂れ片３１と右垂れ片４１を後頭部近辺で緊縛し、バンダナ風Ｂに着装することもできる。
【００２１】
図４は、防止具１００を各種作業に従事するときに、ヘルメットＨや帽子内部に装着した状態を示し、頭部の体温上昇と頭部周辺の発汗抑制、日焼け等を防止することができる。
【符号の説明】
【００２２】
１００                防止具
１０                  布体
１                    左側端部
２                    右側端部
３                    上辺端縁部（ミミ部分）
４                    頂部
５                    無縫着部
６                    折り返し部
７                    下端部
ａ、ｂ、ｃ、ｄ、ｆ    縫着
２０                  被冠部
３０                  左側片部
３１                  左垂れ片
４０                  右側片部
４１                  右垂れ片
Ｂ                    バンダナ風
Ｈ                    ヘルメット
【図１】
0003164607.tif 000003
【図２】
0003164607.tif 000004
【図３】
0003164607.tif 000005
【図４】
0003164607.tif 000006